(57)【要約】【課題】便が着用者の肌に付着するのを防止できる着用物品を提供する。【解決手段】おむつ１は、内面シート１０と、外面シート２０と、内外面シート１０，２０の間に位置する吸収体３０とを有する。内面シート１０には、その厚さ方向に貫通するシート開口１１が形成され、吸収体３０には、内面シート１０のシート開口１１に対応する位置に、その厚さ方向に貫通する吸収体開口３３が形成されている。内外面シート１０，２０には、吸収体３０の周囲において接合された接合領域２１と、接合領域２１の内側で、これらが接合されない収容領域２２とが形成される。収容領域２２であって、外面シート２０と吸収体３０との間には、スペーサ４０が取り付けられる。スペーサ４０は、吸収体３０に接合される内端部４１と、外面シート２０に接合される外端部４２と、これら内外端部４１，４２の間に位置する連結部４３と、内端部４１と外端部４２との間に形成される空間部４４とを有する。【選択図】図２
2011206390.tif 000002
【特許請求の範囲】
【請求項１】
縦方向および横方向と、身体側およびその反対側と、前後ウエスト域および前記前後ウエスト域間に位置するクロッチ域と、前記身体側に位置する内面シートと、前記反対側に位置する外面シートとを含み、前記内面シートには、前記身体側から前記外面シート側に向かって貫通するシート開口が形成される使い捨て着用物品において、
前記内外面シートの間には、これらを互いに接合する接合領域と、前記接合領域と前記シート開口との間に位置する収容領域とが形成され、
前記収容領域には、弾性的に変形可能であって前記内外面シートを互いに離間可能であるスペーサが形成され、前記スペーサは、前記内面シート側および前記外面シート側の一方に位置する第１当接面と、前記内面シートおよび前記外面シート側の他方に位置する第２当接面と、これら第１および第２当接面間に位置する連結部とを有し、前記第１および第２当接面と前記連結部とによって前記シート開口と前記収容領域とを連通する空間部が形成されることを特徴とする前記使い捨て着用物品。
【請求項２】
前記スペーサは、少なくとも前記連結部が、湾曲して形成される請求項１記載の使い捨て着用物品。
【請求項３】
前記内外面シートの間には、吸液性の吸収体が形成され、
前記スペーサは、前記内面シートと前記吸収体との間、および、前記吸収体と前記外面シートとの間のいずれかに配置される請求項１または２記載の使い捨て着用物品。
【請求項４】
前記吸収体は、前記シート開口に重なるとともにその厚さ方向に貫通する吸収体開口を有する請求項３記載の使い捨て着用物品。
【請求項５】
前記スペーサは、疎水性である請求項１〜４のいずれかに記載の使い捨て着用物品。
【請求項６】
前記スペーサは、複数形成されるとともに、前記シート開口の周囲に離間して配置される請求項１〜５のいずれかに記載の使い捨て着用物品。
【請求項７】
前記スペーサは、前記第１および第２当接面および前記連結部によってその全体がＵ字に形成される請求項１〜６のいずれかに記載の使い捨て着用物品。
【請求項８】
前記スペーサは、厚さ方向の断面形状がＯ形、Ｈ形およびＺ形のいずれかに形成される請求項１〜６のいずれかに記載の使い捨て着用物品。
【発明の詳細な説明】
【技術分野】
【０００１】
本発明は、使い捨て着用物品に関し、より詳しくは、排泄物を収容するための開口が形成された使い捨ておむつ、使い捨てのトイレット・トレーニングパンツ、使い捨て失禁パンツ、使い捨ての生理用パンツ等の使い捨て着用物品に関する。
【背景技術】
【０００２】
従来、透液性のトップシートと、不透液性のバックシートと、これらシートの間に位置する吸収コアとを有するおむつが公知である。例えば、特許文献１には、使い捨ておむつのトップシートには、バックシート側に連通する開口が形成され、開口の周囲には、トップシートとバックシートとを離間するスペーサが取り付けられていることが開示されている。
【０００３】
スペーサは、トップシートとバックシートとを離間させることができるので、便がトップシートに排泄され、その開口からトップシートとバックシートとの間に流入したときには、スペーサによって便の逆流が阻止され、便が着用者の肌に付着するのを防止することができる。
【先行技術文献】
【特許文献】
【０００４】
【特許文献１】特許第３２９８６４３号公報（ＪＰ  ３２９８６４３  Ｂ２）
【発明の概要】
【発明が解決しようとする課題】
【０００５】
上記のような特許文献１では、スペーサはほぼ閉鎖した形状を有する。すなわち、スペーサは長手方向に延びる部分と、これらの前後方を接続する部分とを有し、開口を囲む環状に形成されている。このように環状に形成されたスペーサの中に便が排泄されると、便はスペーサから流出することなく、その中に留まる。このような閉鎖されたスペーサでは、収容できる便の容量に限界があり、排便の量によっては、便が着用者に付着する可能性があった。
【０００６】
この発明では、便が着用者の肌に付着するのを防止できる着用物品を提供することを課題とする。
【課題を解決するための手段】
【０００７】
本発明は、縦方向および横方向と、身体側およびその反対側と、前後ウエスト域および前記前後ウエスト域間に位置するクロッチ域と、前記身体側に位置する内面シートと、前記反対側に位置する外面シートとを含み、前記内面シートには、前記身体側から前記外面シート側に向かって貫通するシート開口が形成される使い捨て着用物品の改良にかかわる。
【０００８】
本発明は、前記使い捨て着用物品において、前記内外面シートの間には、これらを互いに接合する接合領域と、前記接合領域と前記シート開口との間に位置する収容領域とが形成され、前記収容領域には、弾性的に変形可能であって前記内外面シートを互いに離間可能であるスペーサが形成され、前記スペーサは、前記内面シート側および前記外面シート側の一方に位置する第１当接面と、前記内面シートおよび前記外面シート側の他方に位置する第２当接面と、これら第１および第２当接面間に位置する連結部とを有し、前記第１および第２当接面と前記連結部とによって前記シート開口と前記収容領域とを連通する空間部が形成されることを特徴とする。
【０００９】
この発明の実施態様のひとつとして、前記スペーサは、少なくとも前記連結部が、湾曲して形成される。
【００１０】
他の実施態様のひとつとして、前記内外面シートの間には、吸液性の吸収体が形成され、前記スペーサは、前記内面シートと前記吸収体との間、および、前記吸収体と前記外面シートとの間のいずれかに配置される。
【００１１】
他の実施態様のひとつとして、前記吸収体は、前記シート開口に重なるとともにその厚さ方向に貫通する吸収体開口を有する。
【００１２】
他の実施態様のひとつとして、前記スペーサは、疎水性である。
【００１３】
他の実施態様のひとつとして、前記スペーサは、複数形成されるとともに、前記シート開口の周囲に離間して配置される。
【００１４】
前記スペーサは、前記第１および第２当接面および前記連結部によってその全体がＵ字に形成される。
【００１５】
前記スペーサは、厚さ方向の断面形状がＯ形、Ｈ形およびＺ形のいずれかに形成される。
【発明の効果】
【００１６】
本発明の特にそのひとつ以上の実施態様によれば、内外面シートの間には収容領域が形成され、内面シートには厚さ方向に貫通するシート開口が形成され、シート開口の周囲には内外面シートを離間可能なスペーサが取り付けられる。スペーサには、シート開口と収容領域とを連通する空間部が形成されるから、シート開口に排泄された排泄物は、空間部を介して収容領域に流入する。したがって、排泄物は、着用者の肌から離れたところで保持され、これが着用者の肌に付着するのを防止することができる。
【図面の簡単な説明】
【００１７】
【図１】使い捨て着用物品の一例であるおむつの平面図。
【図２】図１の斜視図。
【図３】図１のＩＩＩ−ＩＩＩ線断面図。
【図４】（ａ）スペーサの展開斜視図。（ｂ）スペーサの斜視図。
【図５】（ａ）（ｂ）（ｃ）（ｄ）他の実施形態のスペーサの斜視図。
【発明を実施するための形態】
【００１８】
図１は、本発明に係る使い捨て着用物品の一例として示す、使い捨ておむつ１の平面図、図２は、おむつ１の斜視図、図３は、図１のＩＩＩ−ＩＩＩ線断面図であって、各弾性体を伸長させた状態を示したものである。おむつ１は、横方向Ｘの長さ寸法を二等分した仮想縦中心線Ｐ−Ｐ、縦方向Ｙの長さ寸法を二等分した仮想横中心線Ｑ−Ｑを有し、仮想縦中心線Ｐ−Ｐに関してほぼ対称とされている。
【００１９】
おむつ１は、着用者の身体側およびその反対側である着衣側と、前ウエスト域２と、後ウエスト域３と、前後ウエスト域２，３間に位置するクロッチ域４と、互いに仮想横中心線Ｑ−Ｑに関して対向し、横方向Ｘに延びる前後端縁５，６と、互いに仮想縦中心線Ｐ−Ｐに関して対向し、縦方向Ｙへ延びる両側縁７とを有する。両側縁７は、クロッチ域４において、着用者の大腿部に沿ってフィットするように凹曲状に形成されている。
【００２０】
おむつ１は、身体側に位置する内面シート１０と、着衣側に位置する外面シート２０と、これら内外面シート１０，２０の間に位置する吸収体３０とを有する。内面シート１０は、透液性の繊維不織布等を用いることができる。内面シート１０には、外面シート２０側へとその厚さ方向に貫通するシート開口１１が形成されている。シート開口１１は、仮想横中心線Ｑ−Ｑよりも後ウエスト域３側に偏倚して形成することが好ましく、このシート開口１１がおむつ１の着用時に着用者の肛門に対応する位置関係を与えられている。
【００２１】
外面シート２０は、例えば、不透液性かつ透湿性のプラスチックフィルムと、繊維不織布とのラミネートを用いることができる。不透液性かつ透湿性のプラスチックフィルムを用いることで、おむつ１からの尿等の漏れを防止することができるとともに、おむつ１内の蒸れを抑制することができ、これを繊維不織布で覆うことによって、おむつ１の肌触りを向上させることができる。
【００２２】
吸収体３０は、吸液性の芯材３１と、芯材３１を覆う液拡散性の被覆シート３２を有する。芯材３１としては、フラッフパルプ繊維や高吸収性ポリマー粒子、またはこれらの混合物等を用いることができる。吸収体３０は、その内面側が内面シート１０に図示しないホットメルト接着剤等の接合手段によって接合され、外面側は外面シート２０に接合されていない。吸収体３０には、内面シート１０のシート開口１１に対応する位置に、これをその厚さ方向に貫通する吸収体開口３３が形成されている。したがって、内面シート１０と吸収体３０とを積層させた際には、シート開口１１と吸収体開口３３とが合致し、内面シート１０と吸収体３０とが身体側から外面シート２０へ向けて貫通される。
【００２３】
内面シート１０と外面シート２０とは、吸収体３０の周囲において、ホットメルト接着剤等の接合手段によって接合され、接合領域２１が形成されている。接合領域２１の内側では、外面シート２０は、内面シート１０または吸収体３０に接合されることなく、この非接合の領域で収容領域２２が形成される。収容領域２２は、シート開口１１と接合領域２１との間に形成され、シート開口１１から排泄物が流入したときには、収容領域２２内でこれを拡散することができるが、排泄物は接合領域２１によってその外側へと流出するのを防止される。すなわち接合領域２１は、内外面シート１０，２０を互いに水密に接合し、収容領域２２の周囲の全域において形成される。
【００２４】
収容領域２２であって、外面シート２０と吸収体３０との間には、スペーサ４０が取り付けられている。図４（ａ）に例示したように、スペーサ４０は、幅方向Ｗの長さ寸法が約５〜２０ｍｍ、好ましくは約１０ｍｍであって、長さ方向Ｌの長さ寸法が約３０〜１５０ｍｍ、好ましくは約６５ｍｍの帯状の弾性体によって形成されている。スペーサ４０は、疎水性であって、尿などの水分存在下においても、その弾性性能がほとんど変化しないもの、例えば、ゴム、合成樹脂を用いることが好ましい。
【００２５】
図４（ｂ）に例示したように、スペーサ４０は、吸収体３０に接合される内端部４１と、外面シート２０に接合される外端部４２と、これら内外端部４１，４２の間に位置する連結部４３とを有する。内外端部４１，４２がそれぞれ吸収体３０および外面シート２０に接合されることによって、連結部４３は湾曲し、円弧状に形成され、全体的にＵ字を形成している。このように連結部４３を湾曲させて取り付けることによって、内端部４１と外端部４２との間には空間部４４が形成され、スペーサ４０を弾性的に変形可能とすることができる。この実施形態において、内外端部４１，４２およびその近傍によって、内外面シート１０，２０側に位置する第１および第２当接面を形成している。
【００２６】
上記のようなスペーサ４０は、図４（ａ）の帯状から、これを折り曲げながら吸収体３０および外面シート２０の間に取り付けて図４（ｂ）のＵ字に形成することもできるし、あらかじめＵ字に形成し、この形状を保持させて吸収体３０および外面シート２０の間に取り付けることもできる。
【００２７】
図１および２に示したように、スペーサ４０は、その複数がシート開口１１の周囲に離間して配置され、この実施形態では、略矩形のシート開口１１のそれぞれの隅近傍に４箇所配置されている。スペーサ４０は、仮想縦中心線Ｐ−Ｐに対称に配置されるとともに、その長さ方向Ｌがおむつ１の縦方向Ｙと一致しないようにされている。すなわち、長さ方向Ｌが仮想縦中心線Ｐ−Ｐに対して傾斜するようにされている。さらに、スペーサ４０は、仮想縦中心線Ｐ−Ｐには重ならないように、横方向Ｘに離間されている。
【００２８】
内外面シート１０，２０の間であって、少なくともクロッチ域４には、両側縁７に沿って延びるレッグ弾性体５０が取り付けられている。レッグ弾性体５０は、伸長状態で収縮可能に取り付けられ、クロッチ域４において両側縁７が着用者の鼠蹊部近傍に密着し、おむつ１から排泄物が漏れないようにしている。レッグ弾性体５０は、内外面シート１０，２０の間に形成された接合領域２１によって、これら内外面シート１０，２０の少なくともいずれか一方に取り付けることができる。
【００２９】
外面シート２０の着衣側であって、後ウエスト域３には、テープタブ６１が取り付けられ、テープタブ５１の身体側にフック要素６２が取り付けられている。テープタブ６１は、両側縁７から延出して取り付けられ、その延出した部分にフック要素６２が位置している。外面シート２０の前ウエスト域２の着衣側には、両側縁７間に、ループ要素６３が取り付けられている。ループ要素６３は、フック要素６２に係合可能であって、これらフック要素６２とループ要素６３とを係合することによって、パンツ型のおむつ１にすることができる。
【００３０】
上記のようなおむつ１を着用者に着用させる場合には、シート開口１１が着用者の肛門に位置するようにする。シート開口１１には、スペーサ４０によって吸収体３０と外面シート２０との間に空隙が形成され、収容領域２２が広げられる。特にシート開口１１の周囲にスペーサ４０が取り付けられているから、このシート開口１１の近傍においては、内面シート１０および吸収体３０と、外面シート２０との離間距離が大きくされ、このシート開口１１に直接便等が排泄された場合であっても、着用者と離れた位置で便を保持することができ、この便が着用者の肌に付着するのを防止することができる。
【００３１】
スペーサ４０には、空間部４４が形成されているので、シート開口１１、吸収体開口３３および空間部４４を介しておむつ１の身体側と収容領域２２とが連通される。したがって、おむつ１の身体側からシート開口１１に向かって排泄された便等は、空間部４４を介して収容領域２２へと拡散され、より一層着用者の肌から離れたところで便を保持することができ、便が肌に付着するのを防止することができる。すなわち、便が開口近傍に留まって、これが着用者の肌に付着するのを防止することができる。
【００３２】
便等は、収容領域２２に拡散することができるので、複数回の排便があったり、大量の排便があったりした場合であっても、これをシート開口１１から離れたところで保持することができる。また、収容領域２２に尿等の体液が拡散された場合には、吸収体３０の広い領域で尿を吸収することができ、効率的に吸収体３０を使用することができる。
スペーサ４０は、シート開口１１の周囲にこれと離間して取り付けられているので、これら隣接するスペーサ４０の間を介して、シート開口１１から収容領域２２へと排泄物を拡散することもできる。
【００３３】
スペーサ４０は、Ｕ字状に取り付けられ、内端部４１と外端部４２とが互いに近づいたり離れたりすることによって弾性的に変形可能であり、特に内外面シート１０，２０を接近させたり、離間させたりするように変形可能であるので、おむつ１の着用時に着用者の体圧が作用した場合には、これを変形させて内面シート１０を身体に密着させることができる。また、内端部４１および外端部４２は、縦方向Ｙに互いに対向するスペーサ４０内側に向かって配置され、連結部４３を縦方向Ｙ外側に配置されている。すなわち、シート開口１１の縦方向Ｙ中央部側に内外端部４１，４２が配置されるので、スペーサ４０に体圧が作用した場合には、スペーサ４０は、内外端部４１，４２側で小さく、連結部４３側で大きくなるように傾斜し、シート開口１１から離れるに従って収容領域２２を大きくすることができる。また、このように、スペーサ４０が傾斜することによって、スペーサ４０は、着用者の身体に沿って変形可能であるので、スペーサ４０を取り付けることによる着用者に対する違和感を低減することができる。
【００３４】
スペーサ４０は、その内外端部４１，４２が連結部４３よりも横方Ｘ外側に向かって配置され、長さ方向Ｌが、仮想縦中心線Ｐ−Ｐに対して傾斜して取り付けられている。このように仮想縦中心線Ｐ−Ｐに対して傾斜させることによって、シート開口１１に対してバランスよく配置することができるとともに、スペーサ４０を傾斜可能とすることによって、排泄位置に対して容易に位置決めをすることができる。スペーサ４０は、シート開口１１の形状、排泄位置に合わせて種々の配置が考えられる。例えば、仮想縦中心線Ｐ−Ｐに対して内外端部４１，４２が横方向Ｘ内側に向かって配置する等も可能である。
【００３５】
上記のようなおむつ１において、スペーサ４０は、内面シート１０と吸収体３０との間に取り付けることもできる。この場合には、吸収体３０に吸収体開口３３を形成する必要はない。また、内面シート１０側および外面シート２０側のそれぞれに吸収体３０を形成し、これら吸収体の間にスペーサ４０を取り付けることとしてもよい。スペーサ４０と外面シート２０との間に吸収体３０を形成する場合には、内面シート１０と外面シート２０との離間距離を大きくすることができ、収容領域２２を大きく確保することもできる。また、スペーサ４０と外面シート２０の間には、吸収体３０のほかに、例えば発泡性ポリウレタン製の支持部材を配置することもできる。支持部材は、弾性を有するとともに、水分によってその弾性性能が著しく低下しないものを用いることが好ましい。
【００３６】
図５は、他の実施形態におけるスペーサ４０を例示したものである。他の構成は先に説明した実施形態と同様であるので、その詳細な説明を省略する。図５（ａ）に示すように、スペーサ４０は、内端部４１、外端部４２および連結部４３によって、おむつ１の厚さ方向に切断したときの断面形状が環状すなわちＯ形を形成している。ただし、当然のことながら、スペーサ４０の断面がほぼ円形である場合には、これら内外端部４１，４２および連結部４３の明確に区画されることはない。このようなスペーサ４０の内部には、空間部４４が形成され、この空間部４４を介しておむつ１の身体側と収容領域２２とを連通することができる。
【００３７】
スペーサ４０を環状のＯ形にすることによって、その側面のいずれの方向から加圧された場合であっても、変形可能とすることができる。したがって、着用者のさまざまな体勢における加圧に対応することができ、どのような体勢の場合にも、内面シート１０を着用者の肌に密着させることができる。
【００３８】
スペーサ４０は、前述のもののほか、例えば、図５（ｂ）に示すように、断面円形、好ましくは楕円形のＵ字管、図５（ｃ）に示すように断面Ｈ形、図５（ｄ）に示すように断面Ｚ形に形成することができる。図５（ｃ）および（ｄ）において、空間部４４は、連結部４３の両側において形成される。また、いずれの場合のスペーサ４０においても、連結部４３にさらに切欠きや開口を形成し、これを空間部とすることも可能である。
【００３９】
前記各断面形を有するスペーサ４０は、上位概念的に、第１当接面（例えば、図４，５中の符号４１の部分およびその近傍）と、第２当接面（例えば、図４，５中の符号４２の部分およびその近傍）と、前記第１および第２当接面の間に位置する連結部（例えば、図４，５中の符号４３の部分）とを含むと定義することができる。
【００４０】
おむつ１を構成する各構成部材には、本明細書に記載されている材料のほかに、この種の分野において通常用いられている、各種の公知の材料を制限なく用いることができる。
【符号の説明】
【００４１】
１    おむつ（使い捨ての着用物品）
２    前ウエスト域
３    後ウエスト域
４    クロッチ域
１０    内面シート
１１    シート開口
２０    外面シート
２１    接合領域
２２    収容領域
３０    吸収体
３３    吸収体開口
４０    スペーサ
４１    内端部（第１当接面）
４２    外端部（第２当接面）
４３    連結部
４４    空間部
Ｙ    縦方向
Ｘ    横方向
【図１】
2011206390.tif 000003
【図２】
2011206390.tif 000004
【図３】
2011206390.tif 000005
【図４】
2011206390.tif 000006
【図５】
2011206390.tif 000007